(57)【要約】【課題】本発明は、突入電流の発生を抑え、機器のヒューズを切るなどの故障を防止することができる電源駆動回路およびそれを備えた電気機器を提供する。【解決手段】  本発明の電源駆動回路１は、交流電源２と接続し、交流電源２からの交流電力を直流電力に変換して直流負荷４に供給する交流回路部１０と、直流電源３と接続し、直流電源３からの直流電力を直流負荷４に供給する直流回路部２０とを備えている。交流回路部１０は、交流電源２からの交流電力を直流電力に変換する整流回路１１と、整流回路１１と接続し、整流回路１１で変換した直流電力の電圧を平滑化する平滑コンデンサ１２とを含んでいる。直流回路部２０は、直流電源３を接続して直流負荷４に直流電力を供給する際に、平滑コンデンサ１２へ供給される電流を抑制する電流抑制回路を含んでいる。【選択図】図１
2014027771.tif 000002
【特許請求の範囲】
【請求項１】
交流電源または直流電源を接続して直流負荷を駆動可能な電源駆動回路であって、
前記交流電源と接続し、前記交流電源からの交流電力を直流電力に変換して前記直流負荷に供給する交流回路部と、
前記直流電源と接続し、前記直流電源からの直流電力を前記直流負荷に供給する直流回路部とを備え、
前記交流回路部は、
前記交流電源からの交流電力を直流電力に変換する整流回路と、
前記整流回路と接続し、前記整流回路で変換した直流電力の電圧を平滑化する平滑コンデンサとを含み、
前記直流回路部は、前記直流電源を接続して前記直流負荷に直流電力を供給する際に、前記平滑コンデンサへ供給される電流を抑制する電流抑制回路を含む、電源駆動回路。
【請求項２】
前記電流抑制回路は、
前記平滑コンデンサの一端にアノード電極を接続し、前記直流電源にカソード電極を接続した第１ダイオードと、
前記第１ダイオードと並列に接続し、前記整流回路の一端にアノード電極を接続し、前記直流負荷の一端にカソード電極を接続した第２ダイオードと、
前記第１ダイオードのアノード電極にカソード電極を接続し、前記第２ダイオードのアノード電極にアノード電極を接続した第３ダイオードとを含む、請求項１に記載の電源駆動回路。
【請求項３】
前記直流電源と前記第３ダイオードのアノード電極との間に接続した抵抗素子をさらに含む、請求項２に記載の電源駆動回路。
【請求項４】
前記直流負荷の他端と前記第１ダイオードのカソード電極との間に接続したコンデンサをさらに含む、請求項２に記載の電源駆動回路。
【請求項５】
前記直流電源と前記コンデンサとの間にチョークコイルをさらに含む、請求項４に記載の電源駆動回路。
【請求項６】
前記電流抑制回路は、前記平滑コンデンサの一端と、前記直流電源との間に接続したパワーサーミスタである、請求項１に記載の電源駆動回路。
【請求項７】
前記電流抑制回路は、前記パワーサーミスタに対して並列に接続するリレー回路と、該リレー回路を駆動するリレー駆動回路とをさらに含み、前記リレー駆動回路は、前記パワーサーミスタに流れる電流を所定の期間迂回させるようにリレー回路を駆動する、請求項６に記載の電源駆動回路。
【請求項８】
前記電流抑制回路は、
前記平滑コンデンサの一端と、前記直流電源との間に接続した抵抗素子と、
前記抵抗素子に対して並列に接続するリレー回路と、
該リレー回路を駆動するリレー駆動回路とを含み、
前記リレー駆動回路は、前記抵抗素子に流れる電流を所定の期間迂回させるようにリレー回路を駆動する、請求項１に記載の電源駆動回路。
【請求項９】
請求項１〜請求項８のいずれか１項に記載の前記電源駆動回路を備える電気機器。
【発明の詳細な説明】
【技術分野】
【０００１】
交流電源または直流電源と接続して直流負荷を駆動可能な電源駆動回路、およびそれを備えた電気機器に関する。
【背景技術】
【０００２】
家庭内において省エネルギー化を図るためには、交流電力で駆動し比較的大電力を消費する電気機器（たとえば、冷凍冷蔵庫など）の電力消費を抑える必要がある。たとえば、冷凍サイクル用の冷媒の循環に使用するコンプレッサやモータを駆動して大電力を消費する電気機器では、交流電力を平滑化した直流電力でインバータ回路を駆動する必要がある。そのため、インバータ回路を駆動するときに、交流電力を直流電力に変換するロスが必ず生じることになる。そこで、インバータ回路に直流電力を直接供給することで、交流電力を直流電力に変換するロスを減らし電力消費を抑えることができる。
【０００３】
一方、近年、各家庭において太陽光発電システムの設置が進んでいる。この太陽光発電システムでは、直流電力を発電しており、システム内のパワーコンディショナで直流電力を交流電力に変換し、系統に逆潮させたり、家庭内での電気機器の駆動に消費したりしている。
【０００４】
しかし、太陽光発電システムで発電した直流電力で電気機器を駆動する場合、太陽光発電システムで発電した直流電力をパワーコンディショナで交流電力に変換し、さらに電気機器内で交流電力を直流電力に変換する必要がある。つまり、電力変換を２回行なう必要があり、変換ロスによる電力消費が大きくなる。
【０００５】
そこで、太陽光発電システムで発電した直流電力を電力変換せずに直流電力のまま電力の供給を受け、駆動することが可能な電気機器が開発されている。この電気機器では、交流電源と接続して交流電力を直流電力に変換する回路部と、直流電源と接続して直流負荷を直接駆動する回路部とを備える電源駆動回路を備えている。この電源駆動回路の具体例は、特許文献１および特許文献２に開示してある。この電源駆動回路を用いることで、太陽光発電システムで発電した直流電力で電気機器を直接駆動することができ、変換ロスを減らし電力消費を抑えることができる。
【先行技術文献】
【特許文献】
【０００６】
【特許文献１】特開２００９−１８３１１０号公報
【特許文献２】特開平６−２７６７３６号公報
【発明の概要】
【発明が解決しようとする課題】
【０００７】
交流電源に接続する電源駆動回路は、交流電源５０Ｈｚ／６０Ｈｚの交流電力を直流電力に変換する整流回路と、変換した直流電力を平滑化するための大容量の平滑コンデンサとを備えている。そして、この平滑コンデンサに直流電源を接続して、電気機器のインバータ部などの直流負荷に直流電力を給電する回路構成とすることで、当該電源駆動回路は、直流電源にも接続することができる。つまり、当該電源駆動回路は、たとえば太陽光発電システムからの直流電力が得られる昼間、太陽光発電システムからの直流電力を利用し、太陽光発電システムからの直流電力が得られない夜間、系統の交流電源からの交流電力を利用する。
【０００８】
しかしながら、当該電源駆動回路は、大容量の平滑コンデンサを含んでいるので、直流電源に接続して直流電力の供給を開始するときに高い電流値の突入電流が発生し、機器のヒューズを切るなどの故障が起こる場合があった。
【０００９】
そこで、本発明は、上記問題点を解決するためになされたものであり、突入電流の発生を抑え、機器のヒューズを切るなどの故障を防止することができる電源駆動回路およびそれを備えた電気機器を提供することを目的とする。
【課題を解決するための手段】
【００１０】
本発明に従った電源駆動回路は、交流電源または直流電源を接続して直流負荷を駆動可能である。本発明に従った電源駆動回路は、前記交流電源と接続し、前記交流電源からの交流電力を直流電力に変換して前記直流負荷に供給する交流回路部と、前記直流電源と接続し、前記直流電源からの直流電力を前記直流負荷に供給する直流回路部とを備えている。前記交流回路部は、前記交流電源からの交流電力を直流電力に変換する整流回路と、前記整流回路と接続し、前記整流回路で変換した直流電力の電圧を平滑化する平滑コンデンサとを含んでいる。前記直流回路部は、前記直流電源を接続して前記直流負荷に直流電力を供給する際に、前記平滑コンデンサへ供給される電流を抑制する電流抑制回路を含んでいる。
【００１１】
好ましくは、前記電流抑制回路が、前記平滑コンデンサの一端にアノード電極を接続し、前記直流電源にカソード電極を接続した第１ダイオードと、前記第１ダイオードと並列に接続し、前記整流回路の一端にアノード電極を接続し、前記直流負荷の一端にカソード電極を接続した第２ダイオードと、前記第１ダイオードのアノード電極にカソード電極を接続し、前記第２ダイオードのアノード電極にアノード電極を接続した第３ダイオードとを含む。
【００１２】
好ましくは、前記直流電源と前記第３ダイオードのアノード電極との間に接続した抵抗素子をさらに含む。
【００１３】
好ましくは、前記直流負荷の他端と前記第１ダイオードのカソード電極との間に接続したコンデンサをさらに含む。
【００１４】
好ましくは、前記直流電源と前記コンデンサとの間にチョークコイルをさらに含む。
好ましくは、前記電流抑制回路は、前記平滑コンデンサの一端と、前記直流電源との間に接続したパワーサーミスタである。
【００１５】
好ましくは、前記電流抑制回路は、前記パワーサーミスタに対して並列に接続するリレー回路と、該リレー回路を駆動するリレー駆動回路とをさらに含み、前記リレー駆動回路は、前記パワーサーミスタに流れる電流を所定の期間迂回させるようにリレー回路を駆動する。
【００１６】
好ましくは、前記電流抑制回路は、前記平滑コンデンサの一端と、前記直流電源との間に接続した抵抗素子と、前記抵抗素子に対して並列に接続するリレー回路と、該リレー回路を駆動するリレー駆動回路とを含み、前記リレー駆動回路は、前記抵抗素子に流れる電流を所定の期間迂回させるようにリレー回路を駆動する。
【００１７】
本発明に従った電気機器は、上記に記載の電源駆動回路を備える。
【発明の効果】
【００１８】
本発明に係る電源駆動回路およびそれを備えた電気機器は、直流電源に接続して、直流負荷に対して直流電力を供給する場合に、平滑コンデンサへ供給される電流を抑制する電流抑制回路を含むことで、突入電流の発生を抑え、機器の安全性を向上させることができる。また、本発明に係る電源駆動回路およびそれを備えた電気機器は、突入電流の発生を抑えることができるので、機器のヒューズを切るなどの故障を防止することができる。
【図面の簡単な説明】
【００１９】
【図１】本発明の実施の形態１に係る電源駆動回路の構成を示すブロック図である。
【図２】本発明の実施の形態２に係る電源駆動回路の構成を示すブロック図である。
【図３】本発明の実施の形態３に係る電源駆動回路の構成を示すブロック図である。
【図４】変形例に係る電源駆動回路の構成を示すブロック図である。
【発明を実施するための形態】
【００２０】
以下、本発明に係る実施の形態について図面を参照して説明する。
（実施の形態１）
図１は、本発明の実施の形態１に係る電源駆動回路の構成を示すブロック図である。図１に示す電源駆動回路１は、交流電源２または直流電源３と接続して直流負荷４を駆動するため電源を供給するための回路である。また、電源駆動回路１は、交流回路部１０と、直流回路部２０とを含んでいる。ここで、直流負荷４は、たとえば、冷凍冷蔵庫やエアコンなどのコンプレッサと、当該コンプレッサを駆動するインバータ回路とを含んでいる。
【００２１】
交流回路部１０は、交流電源２と接続し、交流電源２からの交流電力を直流電力に変換して直流負荷４に供給する回路である。具体的に、交流回路部１０は、交流電力を直流電力に変換する整流回路１１と、整流回路１１で変換した直流電力の電圧を平滑化する平滑コンデンサ１２とを含む。整流回路１１は、全波整流形のダイオード整流器を用いており、４つのダイオード１１ａをブリッジ接続したブリッジ整流器である。平滑コンデンサ１２は、整流回路１１で整流しても含まれるリップルと呼ばれる変動を平滑化するための平滑回路であり、比較的大電力を消費する電気機器の場合大容量コンデンサとなる。なお、整流回路１１および平滑回路は、例示でありブリッジ整流器および平滑コンデンサに限定されず同様の機能を有するのであれば、いずれの構成であってもよい。
【００２２】
直流回路部２０は、直流電源３と接続し、直流電源３からの直流電力を直流負荷４に供給する回路である。直流回路部２０には、交流電源２または直流負荷４からの電流が直流電源３に流れ込まないようにダイオード２０ａと、直流電源３から大電流が直流負荷４に流れて直流負荷４を破損しないようにヒューズ２０ｂとを設けてある。さらに、直流回路部２０は、平滑コンデンサ１２へ供給される電流を抑制する電流抑制回路を含んでいる。電流抑制回路は、平滑コンデンサ１２の正極にアノード電極を接続し、直流電源３にカソード電極を接続したダイオード２１と、ダイオード２１と並列に接続し、整流回路１１の一端にアノード電極を接続し、直流負荷４の一端にカソード電極を接続したダイオード２２と、ダイオード２１のアノード電極にカソード電極を接続し、ダイオード２２のアノード電極にアノード電極を接続したダイオード２３とを含む。電流抑制回路は、３つのダイオード２１〜２３で構成し、整流回路１１から平滑コンデンサ１２へ供給される電流を制限せずに、直流電源３から平滑コンデンサ１２へ供給される電流を抑制している。
【００２３】
電流抑制回路は、ダイオード２１〜２３により直流電源３から平滑コンデンサ１２へ電流を抑制することで、直流電源３から直流電力を給電したときに平滑コンデンサ１２を充電するために流れる大電流（突入電流）の発生を抑えることができ、機器の安全性を向上させることができる。また、電流抑制回路は、突入電流の発生を抑えることができるので、機器のヒューズ２０ｂを切る等の故障を防止することができる。また、電流抑制回路は、安価なダイオード２１〜２３のみで構成されているので、低価格、簡単な構成で突入電流を抑制することができる。
【００２４】
図１に示す電流抑制回路では、直流電源３から平滑コンデンサ１２への直流電力の給電がほとんど行なわれないように抑制（平滑コンデンサ１２を迂回）しており、平滑コンデンサ１２の充電が行なわれない。しかし、直流負荷４に並列に接続されてる平滑コンデンサ１２が充電されていない状態で、直流電源３から直流負荷４への直流電力の給電が行なわれると直流電流に揺らぎが生じる場合がある。
【００２５】
そこで、図１に示す直流回路部２０は、直流電源３とダイオード２３のアノード電極との間に接続した抵抗素子２４を設け、直流電源３−抵抗素子２４−ダイオード２３−平滑コンデンサ１２の電流経路（図中、破線で示す経路）を有している。そのため、直流電源３から直流負荷４への直流電力の給電が行なわれると、抵抗素子２４を介して平滑コンデンサ１２が少しずつ充電することができ、直流電源３から直流負荷４へ供給される直流電流の揺らぎを抑え、直流回路部２０の安定化を図ることができる。このとき、接続する抵抗素子２４は、十分な電力容量を持った抵抗として、突入電流を抑制する働きも有している。そのため、抵抗素子２４は、直流電力の給電を開始したとき平滑コンデンサ１２への充電を少しずつ行ない、直流電力の給電が安定化したとき平滑コンデンサ１２への充電が終わり、直流回路部２０の動作を安定化させる。
【００２６】
以上のように、本発明の実施の形態１に係る電源駆動回路１は、ダイオード２１〜２３で構成される電流抑制回路で直流電源３から平滑コンデンサ１２への電流を抑制しているので、突入電流の発生を抑え、機器の安全性を向上させることができる。また、電源駆動回路１は、突入電流の発生を抑えることで、機器のヒューズ２０ｂを切るなどの故障を防止することができる。さらに、電源駆動回路１は、直流電力の給電を開始したとき平滑コンデンサ１２への充電を少しずつ行なうための抵抗素子２４を含んでいるの、直流電源３から直流負荷４へ供給される直流電流の揺らぎを抑え、直流回路部２０の安定化を図ることができる。
【００２７】
（実施の形態２）
図２は、本発明の実施の形態２に係る電源駆動回路の構成を示すブロック図である。図２に示す電源駆動回路１ａは、図１に示した電源駆動回路１と同様、交流電源２または直流電源３と接続して直流負荷４を駆動するため電源を供給するための回路である。また、電源駆動回路１ａは、交流回路部１０と、直流回路部３０とを含んでいる。なお、電源駆動回路１ａは、本発明の実施の形態１に係る電源駆動回路１と同じ構成要素について、同じ番号を付与して詳細な説明を繰返さない。ここで、直流負荷４は、たとえば、冷凍冷蔵庫などのコンプレッサ４ａと、当該コンプレッサ４ａを駆動するインバータ回路４ｂとを含んでいる。
【００２８】
直流回路部３０は、直流電源３と接続し、直流電源３からの直流電力を直流負荷４に供給する回路である。直流回路部３０にも、交流電源２または直流負荷４からの電流が直流電源３に流れ込まないようにダイオード２０ａと、直流電源３から大電流が直流負荷４に流れて直流負荷４を破損しないようにヒューズ２０ｂとが設けられている。さらに、直流回路部３０は、平滑コンデンサ１２へ供給される電流を抑制する電流抑制回路を含んでいる。
【００２９】
しかし、直流回路部３０の電流抑制回路は、３つのダイオード２１〜２３で構成されているのではなく、平滑コンデンサ１２の正極と、直流電源３との間に接続したパワーサーミスタ３１を含む構成である。パワーサーミスタ３１は、ＮＴＣサーミスタ（Negative  Temperature  Coefficient  Thermistor）であり、温度の上昇に対して抵抗が減少するサーミスタである。
【００３０】
パワーサーミスタ３１は、温度が低いとき（電流が流れていないとき）抵抗が大きいため、出力する電流値を基準値より小さく抑えることができる。そのため、パワーサーミスタ３１は、直流電源３から直流負荷４へ直流電力の供給を開始する際、パワーサーミスタ３１自体の温度が低いので、直流電源３から平滑コンデンサ１２への電流を抑制することができ、突入電流の発生を抑えることができる。そして、パワーサーミスタ３１に電流が流れることでパワーサーミスタ３１自体が発熱し、温度が高くなり抵抗が小さくなる。そのため、パワーサーミスタ３１は、突入電流の発生を抑えた後、温度が高く抵抗が小さくなり、電流損失を少なく直流負荷４に電流を供給することができる。なお、パワーサーミスタ３１は、ニッケル、マンガン、コバルト、鉄などの酸化物を混合して焼結し形成することができる。
【００３１】
パワーサーミスタ３１は、温度が低いとき抵抗が大きいため、出力する電流値を基準値より小さく抑えることができる。しかし、直流電源３から直流負荷４へ直流電力の供給が繰返し行なわれた場合、パワーサーミスタ３１の温度が十分に低くなる前（温度が高い状態）に、パワーサーミスタ３１に電流が再び供給される。そのため、抵抗値が低い状態でパワーサーミスタ３１に電流が流れ、突入電流の発生を制限できないことが考えられる。そこで、図２に示す直流回路部３０は、パワーサーミスタ３１に対して並列に接続したリレー回路３２と、該リレー回路３２を制御するリレー駆動回路３３とをさらに含んでいる。
【００３２】
リレー駆動回路３３は、直流電源３を直流回路部３０に接続した当初、リレー回路３２をオフ状態にしてパワーサーミスタ３１で平滑コンデンサ１２へ供給される電流を抑制し、その後の所定の期間、リレー回路３２をオン状態にしてパワーサーミスタ３１に流れる電流を、リレー回路３２を含む経路に迂回させる。これにより、リレー回路３２を含む経路に電流を迂回させている間、パワーサーミスタ３１に電流が流れず温度が低下するので、直流電源３から直流負荷４へ直流電力の供給が繰返し行なわれた場合でも、パワーサーミスタ３１の温度を十分に低下させて突入電流の発生を制限することができる。
【００３３】
リレー回路３２を設けて直流電源３から直流負荷４へ直流電力の供給経路を切替える場合、パワーサーミスタ３１に代えて、抵抗器を設置することで突入電流の発生を抑えることができる。つまり、直流電源３を直流回路部３０に接続した当初、リレー回路３２をオフ状態にして抵抗器に電流を流して突入電流の発生を抑え、その後、リレー回路３２をオン状態にして抵抗器を含む経路に迂回して電流を流す。
【００３４】
なお、リレー回路３２を設けて直流電力の供給経路へ切替える構成は、リレー駆動回路３３へ電力を常時供給する必要があり、リレー回路３２を駆動するための電源電圧を生成する回路（図示せず）が必要である（たとえば１２Ｖ電源、２４Ｖ電源）。そのため、リレー回路３２を設ける構成は、図１に示したダイオード２１〜２３を含む電流抑制回路の構成に比べ、別の電源回路が必要となるため、回路構成が増加する。一方、図１に示したダイオード２１〜２３を含む電流抑制回路の構成は、回路構成が簡単になり低価格で実現できる。
【００３５】
以上のように、本発明の実施の形態２に係る電源駆動回路１ａは、電流抑制回路が、平滑コンデンサ１２の一端と、直流電源３との間に接続したパワーサーミスタ３１であるので、突入電流の発生を抑え、機器の安全性を向上させることができる。さらに、電流抑制回路は、パワーサーミスタ３１に対して並列に接続するリレー回路３２と、該リレー回路３２を駆動するリレー駆動回路３３とをさらに含むことで、リレー駆動回路３３が、パワーサーミスタ３１に流れる電流を所定の期間、迂回させるようにリレー回路３２を駆動することができ、直流電力の供給が繰返し行なわれた場合でも、突入電流の発生を制限することができる。
【００３６】
（実施の形態３）
図３は、本発明の実施の形態３に係る電源駆動回路の構成を示すブロック図である。図３に示す電源駆動回路１ｂは、図１に示した電源駆動回路１と同様、交流電源２または直流電源３と接続して直流負荷４を駆動するため電源を供給するための回路である。また、電源駆動回路１ｂは、交流回路部１０と、直流回路部４０とを含んでいる。なお、電源駆動回路１ｂは、本発明の実施の形態１に係る電源駆動回路１と同じ構成要素について、同じ番号を付与して詳細な説明を繰返さない。
【００３７】
電源駆動回路１ｂは、交流電力を入力時にも動作することを前提にしているため、たとえばエアコンなどの電気機器では、２０００μＦもの大容量の電解コンデンサを平滑コンデンサ１２として搭載している。そのため、電源駆動回路１ｂは、この平滑コンデンサ１２に直流電源３を接続した場合、大きな突入電流が発生し、ヒューズ２０ｂが切れる等の問題が発生するので、実施の形態１に係る電源駆動回路１と同様に、ダイオード２１〜２３を含む電流抑制回路を備えている。
【００３８】
一方、直流電力の揺らぎは、交流電力を平滑化した電力の揺らぎに比べ小さいが、実施の形態１に係る電源駆動回路１では平滑コンデンサ１２を利用して、当該直流電力の揺らぎを抑えている。具体的に、実施の形態１に係る電源駆動回路１では、抵抗素子２４を設け、直流電源３を接続した場合に当該抵抗素子２４を介して平滑コンデンサ１２を充電することで、直流電力の揺らぎを抑えている。
【００３９】
しかし、直流電力の揺らぎは、交流電力を平滑化した電力の揺らぎに比べて小さいので、直流電力の揺らぎを抑えるために、平滑コンデンサ１２と同じ容量を必要としない。そのため、電源駆動回路１ｂでは、ダイオード２１〜２３を含む電流抑制回路で平滑コンデンサ１２が直流電源３側から見えないようにしておき、直流回路部４０に平滑コンデンサ１２に比べ小さいコンデンサ４１を設けてある。具体的に、コンデンサ４１は、直流負荷の一端とダイオード２１のカソード電極との間で、平滑コンデンサ１２に対して並列に接続してある。たとえば、平滑コンデンサ１２が２０００μＦの電解コンデンサである場合、コンデンサ４１は１μＦのフィルムコンデンサとすることができる。コンデンサ４１のフィルムコンデンサは、平滑コンデンサ１２の電解コンデンサと容量や品種が異なるため、突入電流が数分の一〜数十分の一に低減することができる。そのため、電源駆動回路１ｂでは、コンデンサ４１を直流回路部４０に設けても、平滑コンデンサ１２による大電流の突入電流は発生せず、ヒューズ２０ｂが切れる等の問題は発生しない。
【００４０】
以上のように、本発明の実施の形態３に係る電源駆動回路１ｂは、直流負荷４の一端とダイオード２１のカソード電極との間に接続したコンデンサ４１をさらに含むので、突入電流の発生によるヒューズ２０ｂ切れ等の問題を回避しつつ、直流電力の揺らぎを抑えることができる。
【００４１】
（変形例）
直流電源３が太陽光発電システムで、パワーコンディショナーを介して直流回路部４０に直流電力が供給される場合、電源駆動回路は、パワーコンディショナーの高周波成分による変動が重畳した直流電力を直流負荷４に供給することになる。そこで、変形例に係る電源駆動回路では、パワーコンディショナなどによる高周波成分による変動を抑えるための回路構成を説明する。
【００４２】
図４は、変形例に係る電源駆動回路の構成を示すブロック図である。図４に示す電源駆動回路１ｃは、図３に示した電源駆動回路１ｂと同様、交流電源２または直流電源３と接続して直流負荷４を駆動するため電源を供給するための回路である。また、電源駆動回路１ｃは、交流回路部１０と、直流回路部４０とを含んでいる。なお、電源駆動回路１ｃは、本発明の実施の形態３に係る電源駆動回路１ｂと同じ構成要素について、同じ番号を付与して詳細な説明を繰返さない。
【００４３】
直流回路部４０は、高周波成分による変動を抑えるために、直流電源３の入力側に直列に接続したチョークコイル４２を含んでいる。チョークコイル４２は、ダイオード２０ａのカソード電極とコンデンサ４１の一端との間に接続してある。そのため、チョークコイル４２は、コンデンサ４１と組合わせてローパスフィルターを形成し、高周波成分による変動を抑えることができる。なお、チョークコイル４２の容量を大きくすることで、コンデンサ４１の静電容量を小さくすることがで、発生する突入電流をさらに小さくすることができる。
【００４４】
以上のように、変形例に係る電源駆動回路１ｃは、直流電源３とコンデンサ４１との間にチョークコイル４２をさらに含むので、コンデンサ４１およびチョークコイル４２がローパスフィルターを形成し、直流電源３の高周波成分による変動を抑えることができる。
【００４５】
なお、本発明の実施の形態１〜３および変形例で説明した電源駆動回路１，１ａ〜１ｃは、冷凍冷蔵庫やエアコンなどの電気機器に組込まれることで、電気機器を交流電源２ぬも、直流電源３にも接続することが可能になる。さらに、電源駆動回路１，１ａ〜１ｃを組込んだ電気機器は、直流電源３に接続した場合でも、突入電流の発生を抑え、ヒューズ２０ｂを切るなどの故障を防止することができ、安全性が向上する。
【００４６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００４７】
１，１ａ，１ｂ，１ｃ  電源駆動回路、２  交流電源、３  直流電源、４  直流負荷、４ａ  コンプレッサ、４ｂ  インバータ回路、１０  交流回路部、１１  整流回路、１１ａ，２０ａ，２１〜２３  ダイオード、１２  平滑コンデンサ、２０，３０，４０  直流回路部、２０ｂ  ヒューズ、２４  抵抗素子、３１  パワーサーミスタ、３２  リレー回路、３３  リレー駆動回路、４１  コンデンサ、４２  チョークコイル。
【図１】
2014027771.tif 000003
【図２】
2014027771.tif 000004
【図３】
2014027771.tif 000005
【図４】
2014027771.tif 000006